Podtech/llm-jp-corpus-v4-ja_patent huggingface dataset:
(57)【要約】【課題】他容器から、形状や口径が多種ある容器へ移入する作業を容易にするため、排出部開口径が大と小二種類のロートを形成し、嵌合、又は分離して別個で単一に使用し作業を容易にする二重ロートを提供する。【解決手段】流出部を大に形成したロートと小に形成したロートを密着状に嵌合、又は、分離し、形状や開口径の異なる移入容器に応じて使用し、移入作業を速やかに効率よくすることを特徴とする二重ロート。【選択図】図１
2016210496.tif 000002
【特許請求の範囲】
【請求項１】
排出部口径を大に形成したロートと、排出部口径を小に形成したロートを、使用時に状況に応じ密着嵌合、又は、各別個単一に使用できることを特徴とする二重ロート。
【発明の詳細な説明】
【技術分野】
【０００１】  本発明は、主に液体を他の容器への移入時に、作業を容易にするために使用するロートに関するものである。
【背景技術】
【０００２】  従来、ロートの形状は、上部液体流入部の径は大で、下部排出部は細く開口径は小である。使用するときは、先端の開口部を移入容器の開口部に挿入し、流入部に液体を流入し挿入した開口部から他の容器に移入する。しかし、移入容器の形状は多種あり開口径も大小さまざまであり、単一形状の排出部からの流入は、ロートを持つ手の操作で流入具合を加減しながら移入していた。
【発明の開示】
【０００３】  そのため次のような問題点があった。
小径である開口部からの流出は小量であるため、容器内への流入は徐々で時間がかかり、移入中は先端の挿入状態や流入具合を慎重に注意する必要があった。更に、流入部への流入量が過剰になると、流入部開口縁から溢れ出て容器外に流出する。それを防ぐためには、細心に流入量を調整しながら流入し、多量の場合は面倒で疲れる作業であった。
本考案は以上の問題点を解決しようとするものである。
【問題を解決するための手段】
【０００４】  排出部口径を大に形成したロートと、排出部口径を小に形成したロートを、使用時に状況に応じ密着嵌合、又は、各別個単一に使用できる。以上を特徴とする二重ロートである。
【発明の効果】
【０００５】  両ロートを嵌合して使用すれば、従来のロート同様の使用が可能で、両ロートを分離し各別個に単一で使用すれば、移入容器の種々形状や移入量に応じ操作が容易になり、効率よく速やかで面倒な移入作業が煩わしさがない。
【発明を実施するための最良の形態】
【０００６】    以下、発明実施の形態を説明する。
（イ）嵌合状態の外周大ロート（１）の下部排出部（２）を大径に形成する。
（ロ）嵌合状態の内周小ロート（３）下部排出部（４）を小径に形成する。
（ハ）小ロート（３）の上開口部上端（５）は大ロート（１）の上開口部上端（６）よ        り低い形状に形成する。
（ニ）大ロート（１）内面に凸部（７）を設け、小ロート（３）の開口部上端（５）に        凹部（８）を設ける。
（ホ）大ロートに設けた凸部（７）は、嵌合状態の時小ロート（３）の上端を抑え固定        する。凸部（７）と凹部（８）と上下同位置にすれば小ロート（３）は固定から        外れ容易に分離できる。
本発明は、以上の構成で成っている。
本発明の使用方法は、両ロートを嵌合状態で使用する場合、通常ロートの使用方法と同様に小ロート（３）の排出口（４）を移入容器（９）の開口部に挿入し大ロート（１）流入口へ液体を流入すれば小ロート（３）排出口（４）から移入容器（９）に流入する。この際、両ロートは密着嵌合し大ロート（１）の凸部（７）で小ロートを抑圧固定しているため嵌合間から漏出する事はない。そして、大ロート（１）の排出部（２）は移入容器の開口部の外周に位置し、大きく傾いたり外れたりすることはなく、容器に挿入している小ロートの排出部も抜け出る心配は無い。
両ロートの嵌合状態を分離すれば各ロートは別個単独になる。したがって、移入量が少量の場合は、小ロート（３）を単一で使用すれば扱いも手軽で作業は容易である。
移入容器の口径が大の場合は、大ロート（１）を単一で使用すれば、口径が大であるため排出は速やかで、上流入部へ多量流入しても溢れることなく移入が速やかで容易である。
そして、排出部が大であるため粉末状や粒状でも排出部で詰まることなく容易に排出する。
この結果、使用用途が多様になる。そして、収納は嵌合し一個のロートとして収納できる。
【図面の簡単な説明】
【０００７】
【図１】大小ロートの嵌合状態の縦断面正面図
【図２】大ロートの縦断面正面図
【図３】小ロートの正面図
【図４】使用図
【符号の説明】
【０００８】    １  大ロート
２  排出部
３  小ロート
４  排出部
５  小ロート上端
６  大ロート上端
７  凸部
８  凹部
９  容器
【図１】
2016210496.tif 000003
【図２】
2016210496.tif 000004
【図３】
2016210496.tif 000005
【図４】
2016210496.tif 000006
(57)【要約】      （修正有）【課題】開口部のヒートシールを緩和し開口を容易にする。【解決手段】容器基材０４に熱可塑性樹脂を被覆する工程で樹脂膜０３が溶融状態時に所定の高さの突起部を配設した圧締冷却面で押圧冷却して容器素材のヒートシール面０１に所要の深さの凹部０２を形成する方法と、熱可塑性樹脂をコーティングした成形前の包材のヒートシール面に、易開封性を付与すべき所要の区画の樹脂層を所定の深さまで加熱溶融し突起部を配設した圧締冷却面で溶融した樹脂層を押圧冷却してシール面に所定の深さの凹部を形成する方法。【選択図】図１
2016210497.tif 000002
【特許請求の範囲】
【請求項１】
容器基材に熱可塑性樹脂を被覆する工程で樹脂膜が溶融状態時に所定の高さの突起部を配設した圧締冷却面で押圧冷却して容器素材のヒートシール面に所要の深さの凹部を形成しシール時に当該凹部には圧締面圧を加えず空隙を残してシールを行うことによって容器に易開封性を付与する方法
【請求項２】
熱可塑性樹脂をコーティングした包材のヒートシール面に易開封性を付与すべき所定の区画の樹脂層を所定の深さまで溶融状態に加熱し所要の高さの突起部を配設した押圧冷却面で溶融部を押圧冷却して所定の深さの凹部を形成しシール時に当該凹部には圧締面圧を加えず空隙を残してシールを行うことによって容器に易開封性を付与する方法
【発明の詳細な説明】
【技術分野】
【０００１】ヒートシール密閉容器開口部の一部に易開封性を付与する方法
【背景技術】
【０００２】大量生産に用いる容器は、ヒートシールによる密封後の開口に器具を用いて開口する、あるいは開口のため付与した切欠きから裂断を誘導して開口するなど、いずれも開口時に容器を把持して圧迫する結果、包装内容物を噴出させ容器や開口現場の汚染が開口に伴う。器具を用いないヒートシール密閉容器の開口には容器に切欠きを付与して裂断を誘導するのが一般であるが、容器の構造や素材によっては切欠きを付与できない容器があって、切欠きはすべてのヒートシール容器に有効な開口手段ではない。
【発明が解決しようとする課題】
【０００３】大量生産に用いるヒートシール容器は、器具を用いて開口する、あるいは付与した切欠きから裂断を誘導して開口するなどいずれも、容器の圧迫が包装内容物を噴出させて容器や開口現場を汚染する問題を伴う。これを解決するため、開口部に予めシール緩和処理を施して開口時に器具や切欠きを必要とせず密封後の開口を容易にし、把持による容器圧迫が包装内容物を噴出させて容器や開口現場の汚染を生じないために、開口部のヒートシールを緩和し開口を容易にする方法が求められる。
【課題を解決するための方法】
【０００４】課題を解決する方法として、容器基材に熱可塑性樹脂を被覆する工程で樹脂膜が溶融状態時に所定の高さの突起部を配設した圧締冷却面で押圧冷却して容器素材のヒートシール面に所要の深さの凹部を形成しシール時に当該凹部には圧締面圧を印加せず空隙を残してシールを行うことによって容器に易開封性を付与する方法と、樹脂被覆済み包材の場合にはヒートシール面の所要の易開封部分を所定の温度に溶融し所要の深さの凹部面を形成冷却しヒートシール時にこの凹部に圧締圧をかけず凹部を空隙で残すことによって容器に易開封性を付与する方法がある。
【発明の効果】
【０００５】容器素材のヒートシール面の一部区画に凹部を形成することによって当該凹部をシール時の圧締面圧から解放し空隙を残す結果成型密封した容器の開口部に易開封性を付与することができる。
【図面の簡単な説明】
【０００６】
【図１】凹部を空隙にしたヒートシール断面を示す図  ［符号の説明］０１はヒートシール面を示す  ０２はシール面の所要区画に形成した凹部を示す  ０３は樹脂コーティングを示す  ０４は容器素材の基材を示す  ０５は樹脂コーティングを示す
【０００７】
【図２】樹脂層被覆面に形成した凹部を示す図  ［符号の説明］０１はヒートシール面を示す  ０２はシール面の所要区画に形成した凹部を示す
【０００８】
【図３】樹脂被覆工程で樹脂層に凹部を形成する方法を示す図  ［符号の説明］１１は凹部を押圧形成するローラを示す  １２は被覆樹脂押し出し機を示す
【０００９】
【図４】樹脂層被覆済み包材に凹部を形成する方法を示す図  ［符号の説明］１１は凹部を押圧形成するローラを示す  １３は被覆樹脂層軟化加熱装置を示す
【００１０】
【図５】凹部を形成する押圧冷却ロールを示す図  ［符号の説明］１１はロールを示す  ２１は凹部を形成する押圧冷却ロールを示す
【００１１】
【図６】シール面の凹部を示す図
【００１２】
【図７】空隙を残したヒートシール層の断面を示す図
【発明を実施するための形態】
【００１３】本発明の実施の形態を図１、図３および図４に基づいて説明する。
図１は凹部を挟んで空隙を残したヒートシール部の断面で、０４は容器基材である。図３は巻き取りの状態の容器基材に熱可塑性樹脂を両面にコーティングする工程を示す図で、内容物を包む面へ熱可塑性樹脂を溶融被覆時に凹部を押圧形成する突起部を配設した押圧冷却ローラ１１により所定の凹部を形成すると同時に樹脂層を圧締冷却する。
すでに両面を熱可塑性樹脂コーティング済みの包材の場合には、図４に示すように被覆樹脂層の凹部を設ける面を加熱して凹部を押圧形成する突起部を配設したローラ１１により所定の凹部を形成すると同時に樹脂層を冷却する。
【図１】
2016210497.tif 000003
【図２】
2016210497.tif 000004
【図３】
2016210497.tif 000005
【図４】
2016210497.tif 000006
【図５】
2016210497.tif 000007
【図６】
2016210497.tif 000008
【図７】
2016210497.tif 000009
(57)【要約】【課題】ウィンドウ表面に付着した付着物がどのようなものであっても、その除去を容易に行うことができる車両の樹脂ウィンドウを提供すること。【解決手段】ウィンドウ表面２２に付着した付着物Ｗを除去可能な振動子３０（３２）を備えた車両１の樹脂ウィンドウ２０であって、付着物Ｗの除去に適した周波数となるように振動子３０（３２）の周波数を切り替え可能となっている。【選択図】図１
2016210290.tif 000002
【特許請求の範囲】
【請求項１】
ウィンドウ表面に付着した付着物を除去可能な振動子を備えた車両の樹脂ウィンドウであって、
付着物の除去に適した周波数となるように振動子の周波数を切り替え可能となっている車両の樹脂ウィンドウ。
【発明の詳細な説明】
【技術分野】
【０００１】
本発明は、車両の樹脂ウィンドウに関し、詳しくは、ウィンドウ表面に付着した付着物を除去可能な振動子を備えた車両の樹脂ウィンドウに関する。
【背景技術】
【０００２】
従来、雨天走行時でも、ウィンドウの視界を良好に保つ技術が研究されている。ここで、下記特許文献１には、ウィンドウ表面に付着した水滴を除去可能な振動子を備えたウィンドウが開示されている。これにより、振動子を振動させると、ウィンドウ表面に付着している水滴をガラス面から滑らせることができる。したがって、雨天走行時でも、ウィンドウの視界を良好に保つことができる。
【先行技術文献】
【特許文献】
【０００３】
【特許文献１】特開平８−２６８２３２号公報
【発明の概要】
【発明が解決しようとする課題】
【０００４】
しかしながら、上述した特許文献１の技術では、ウィンドウ表面に付着した付着物によっては、その除去が難しいことがあった。例えば、水滴は除去できても、雪や霜は除去し難いということがあった。
【０００５】
本発明は、このような課題を解決しようとするもので、その目的は、ウィンドウ表面に付着した付着物がどのようなものであっても、その除去を容易に行うことができる車両の樹脂ウィンドウを提供することである。
【課題を解決するための手段】
【０００６】
本発明は、上記の目的を達成するためのものであって、以下のように構成されている。請求項１に記載の発明は、ウィンドウ表面に付着した付着物を除去可能な振動子を備えた車両の樹脂ウィンドウであって、付着物の除去に適した周波数となるように振動子の周波数を切り替え可能となっている。
【０００７】
請求項１の発明によれば、付着物の除去に適した周波数となるように振動子の周波数を切り替えることができる。したがって、ウィンドウ表面に付着した付着物が、例えば、水滴、雪、霜等、どのようなものであっても、その除去を容易に行うことができる。
【図面の簡単な説明】
【０００８】
【図１】本発明の実施例に係る車両の縦断面の模式図である。
【図２】図１の車両の電気的構成を示すブロック図である。
【図３】図１の樹脂ウィンドウの動作を示す図である。
【発明を実施するための形態】
【０００９】
以下、本発明を実施するための形態を、図１〜３を用いて説明する。まず、実施例に係る車両１の構成を説明する。この車両１の車両フレーム１０には、透明または半透明な硬質の樹脂から構成されている樹脂ウィンドウ２０が組み付けられている（図１参照）。この硬質の樹脂として、例えば、ＰＣ、アクリル、ＰＣとアクリルのアロイ（混ぜたもの）、ＰＥＴ、塩ビ等が考えられる。
【００１０】
この樹脂ウィンドウ２０の上縁には、第１の振動子３０が備えられている。これと同様に、この樹脂ウィンドウ２０の下縁には、第２の振動子３２が備えられている。なお、この樹脂ウィンドウ２０は、車両（例えば、自動車）のウィンドウ、例えば、リアガラス、サンルーフのガラス等であり、３次元の曲面を成すように形成されている。
【００１１】
次に、上述した車両１の電気的な構成を説明する（図２参照）。車両１には、制御装置４０が備えられている。この制御装置４０は、例えば、周波数を変換（低周波数〜高周波数に変換）させることができるインバータである。この制御装置４０は、第１の振動子３０と第２の振動子３２とに対してそれぞれ電気的に接続されている。また、この制御装置４０は、コントローラ５０に対して電気的に接続されている。このコントローラ５０は、制御装置４０が変換する周波数を調節するためのツマミである。
【００１２】
続いて、上述した樹脂ウィンドウ２０の動作を説明する。ウィンドウ表面２２に水滴Ｗが付着している場合、第１の振動子３０と第２の振動子３２とを振動させると、従来技術と同様に、付着した水滴Ｗをウィンドウ表面２２から滑らせて除去できる（図３参照）。したがって、雨天走行時でも、ウィンドウの視界を良好に保つことができる。
【００１３】
このとき、制御装置４０によって両振動子３０、３２の振動の周波数を低周波数にすると、付着した水滴Ｗを効率よく除去できる。なお、ウィンドウ表面２２に水滴Ｗに換わり雪が付着している場合、制御装置４０によって両振動子３０、３２の振動の周波数を中周波数にすると、付着した雪を効率よく除去できる。
【００１４】
また、ウィンドウ表面２２に水滴Ｗに換わり霜が付着している場合、制御装置４０によって両振動子３０、３２の振動の周波数を高周波数にすると、付着した霜を効率よく除去できる。このように付着した付着物の除去に適した周波数となるように両振動子３０、３２の周波数を切り替えることができる。したがって、ウィンドウ表面２２に付着した付着物が水滴Ｗ、雪、霜等、どのようなものであっても、その除去を容易に行うことができる。
【００１５】
上述した内容は、あくまでも本発明の一実施の形態に関するものであって、本発明が上記内容に限定されることを意味するものではない。
【００１６】
実施例では、ウィンドウ表面２２の付着物が水滴Ｗ、雪、霜の形態を説明した。しかし、これに限定されるものでなく、各種の付着物（例えば、泥、砂等）でも構わない。
【００１７】
また、実施例では、樹脂ウィンドウ２０の上縁には、第１の振動子３０が備えられている。これと同様に、樹脂ウィンドウ２０の下縁には、第２の振動子３２が備えられている形態を説明した。しかし、これに限定されるものでなく、両振動子３０、３２は、いずれか一方のみであっても構わない。
【００１８】
なお、上述した実施例において、第１の振動子３０の固有周波数と第２の振動子３２の固有周波数とを共鳴する周波数で振動させてもよい。その場合、ウィンドウ表面２２の付着物に対して大きな振動を与えることができる。したがって、付着物の除去を効率よく実施できる。
【符号の説明】
【００１９】
２０    樹脂ウィンドウ
２２    ウィンドウ表面
３０    第１の振動子
３２    第２の振動子
Ｗ      水滴
【図１】
2016210290.tif 000003
【図２】
2016210290.tif 000004
【図３】
2016210290.tif 000005
(57)【要約】      （修正有）【課題】事故時に警報を発して外部の人々への安全性を付与する無人飛行機を提供する。【解決手段】ブザー等の警報機を無人飛行機に取り付け、異常が起きた場合その異常を周辺の人々にしらせる。無人飛行機と無線コントロール装置とつながっている場合、無線コントロールから警報器のコントロールを出来る様に配設し、操縦者が異常を感知した場合、警報器を作動出来る様に配設する。又、無人飛行機に気圧計、高度計、スピード計等を配設し異常なスピードで降下した場合、自動的に警報装置が作動する様に配設する。そして、コントロール装置に従わない場合その異常行動を感知出来る装置、若しくは、気圧計、高度計等の数値と、コントロール側の指示とが合わない事を感知出来うる装置を配設し、異常だと判断された場合、警報装置が作動する様に配設する。尚、落下傘を無人飛行機に配設し、自己判断能力、又は、無線コントロール装置より作動するように配設する。【選択図】なし【特許請求の範囲】
【請求項１】
無人飛行機であって
緊急時に、無人飛行機外に警報を発する事が出来る無人飛行機。
【請求項２】
前期無人飛行機は、高度を測れる装置を備える事を特徴とした無人飛行機。
【請求項３】
無線操縦装置でコントロール出来うることを特徴とした請求項１、請求項２に記載の無人飛行機。
【発明の詳細な説明】
【技術分野】
【０００１】
本発明は、飛行中に異常が発生したときに、警報等で外部に異常を知らせる無人飛行機に関するものである。
【背景技術】
【０００２】
最近ではドローン等の無人飛行機が知られている。
【発明の開示】
【発明が解決しようとする課題】
【０００３】
無人飛行機が操縦不能等の墜落の可能性が発生した時に、外部の人々にそれを発生する装置は無かった為、外部の人に人に当たる危険性があった。
【０００４】
本発明は以上のような状況に対応するものであって、その目的とするところは、墜落しそうな場所へ、警報等の警戒を知らせる無人飛行機を提供する事にある。
【課題を解決するための手段】
【０００５】
本発明による無人飛行機は、墜落の可能性等の異常事態が発生した場合、ブザー等の警報器を装備し、飛行する周辺にその異常を知らせる事を特徴とし、人々に安全を付与するものである。
【０００６】
【発明を実施するための最良の形態】
【０００７】
無人飛行機にブザー等の警報器を取り付け、無人飛行機に操縦不能等の異常が起きた場合その異常を飛行周辺の人々にしらせる。
【０００８】
無人飛行機と無線コントロール装置とつながっている場合、無線コントロールから前記警報器のコントロールを出来る様に配設し、操縦者が異常を感知した場合、警報器を作動出来る様に配設する。
【０００９】
又、無人飛行機に気圧計、高度計、スピード計等を配設し異常なスピードで降下した場合、自動的に警報装置が作動する様に配設する。  
【００１０】
そして、コントロール装置より上昇をコントロールしたがそれに従わない場合その異常行動を感知出来る装置、LSI等、若しくは、前記気圧計、高度計等と、コントロール側の指示とその計器の示す数値が合わない事を感知出来うる装置を配設し、そのシステムが異常だと判断した場合、警報装置が作動する様に配設する。
【００１１】
尚、上記警報装置と共に落下傘を無人飛行機に配設し警報機と同じ様に自己判断能力、若しくは、無線コントロール装置より作動するように配設する。この事により、より安全性が増す。勿論、同時に両方が作動しても良いようにも配設する。
【００１２】
尚、前記飛行機はヘリコプターを含む。
(57)【要約】      （修正有）【課題】自動車のフロントガラスの日よけにおいて、フロントガラスにゴムで吸着する形式のフロントガラスに吸着跡が残り汚れ、ゴムが劣化した場合は交換する必要があり、また着脱に手間がかかるうえに、未使用時には置き場所に困ることがあるので、これらを解消する日よけを提供する。【解決手段】接着部分をマジックテープ２，５とし、また、装着部分をダッシュボードとサンバイザーとすることによりフロントガラスの汚れを防ぎ、ダッシュボードに据置き式とする。【選択図】図１
2016210395.tif 000002
【特許請求の範囲】
【請求項１】
ダッシュボード据置き式として未使用時の保管場所に困らない日よけ。
【請求項２】
接着部分をマジックテープとした請求項１の日よけ。
【請求項３】
装着部分をダッシュボードとサンバイザーとした請求項１の日よけ。
【請求項４】
遮光部を蛇腹加工の折畳み式とした請求項１の日よけ。
【発明の詳細な説明】
【技術分野】
【０００１】本発明は、自家用自動車のフロントガラスの日よけに関する。
【背景技術】
【０００２】従来の日よけは、フロントガラスに吸着するタイプがある。
これは、着脱に手間がかかるうえに、未使用時は置き場所に困ることがある。
【発明の概要】
【発明が解決しようとする課題】
【０００３】フロントガラスにゴムで吸着する場合、ゴムが劣化した場合は交換しなければならない。
また、吸着跡がフロントガラスに残ることが多い。【０００４】日よけ未使用時の保管場所に困ることがある。
【課題を解決するための手段】
【０００５】本発明は、ダッシュボード上に据置く形状とすることによって、保管場所の問題を解決する。
また、接着部分をマジックテープにすることによって、部品劣化の問題も解決できる。【０００６】上部カバーは、サンバイザーに取り付けたマジックテープと接着する。
下部カバーは、ダッシュボードに取り付けたマジックテープと接着する。【０００７】上部カバーは、黒色系の布を使用し、未使用時のフロントガラスへの映り込みを極力少なくする。【０００８】遮光部分は、布又は紙を材質とし、蛇腹加工の折畳み式とする。
【図面の簡単な説明】
【０００９】
【図１】本日よけを収納した時の図
【図２】本日よけを装着した時の図
【図３】遮光部分の断面図
【図１】
2016210395.tif 000003
【図２】
2016210395.tif 000004
【図３】
2016210395.tif 000005
(57)【要約】【課題】    本発明は、走行中の自転車の転倒防止に関する技術を提供する。【解決手段】自転車前輪の、泥除カバーの下端にバランスウェイトを装着して設ける。また、ウェイト支持シャフトでバランスウェイトを固定して強化しても良い。【選択図】図２
2016210392.tif 000002
【特許請求の範囲】
【請求項１】
前輪の泥除カバー（１）の下端に、バランスウェイト（２）を設けた横転防止用バランスウェイト付自転車である。
【請求項２】
前輪のシャフトに、ウェイト支持シャフト（６）を固定して設け、さらに泥除カバー（１）の下方に、該シャフトの一端を取り付けて、これにバランスウェイト（２）を設けた
横転防止用バランスウェイト付自転車である。
【発明の詳細な説明】
【技術分野】
【０００１】  本発明は、走行中に於いて、カーブ等でハンドルを左右にきるが、この時に運転者の重心が、自転車の傾きに働き転倒しやすくなるので、それを防止する為の安全技術に関するものである。
【背景技術】
【０００２】  従来は、特に子供や高齢者に転倒する人が多かった。
【発明が解決しようとする課題】
【０００３】  現状では、自転車で道路を走るにも、自動車が多く、より自転車を安定して走行する事が必要である。しかし自転車は、乗る人のバランス感覚で、安定させるので、この重心バランスが狂った時に、自転車は簡単に転倒してしまう。
これらの問題点を改善し、今までにない有効な本発明がなされたのである。
【課題を解決するための手段】
【０００４】  本発明は出来る限りの簡単構成で形成されている。以下解決手段を説明する。
まず自転車の前輪を覆っている、泥除カバー（１）の下端にバランスウェイト（２）を装着して設ける。または、ウェイト支持シャフト（６）にバランスウェイト（２）を固定して設ける。
本発明は以上のような特徴よりなる、横転防止用バランスウェイト付自転車である。
【発明の効果】
【０００５】  本発明は、右折左折する時にハンドルを左右に向きを変えて、自転車も傾けて入って行くが、それにより重心Ｇ（３）が狂っても、図２図３のごとく泥除カバー（１）に設けられている、バランスウェイト（２）が傾いている重心Ｇ（３）に対して、起こすようにトルクＴ（４）が働き、そのままバランスを保ったまま転倒せずに走行ができるのである。
【発明を実施するための最良の形態】
【０００６】まず、前輪に被せた泥除カバー（１）の下端に、バランスウェイト（２）を装着して設ける。あるいは、ウェイト支持シャフト（６）を設け、これにバランスウェイト（２）を固定して、一端を前輪シャフトに固定して強化しても良い。これだけの、非常に簡単な構成である。本発明によれば、バランスウェイト（２）の重さは、自転車の形態別に、２Ｋｇ〜１０Ｋｇがベストである。
本発明は、以上のような構成であり、これを使用実施するときには、【０００７】  図１のごとく、搭乗者は普通の走行でも、ハンドルの安定性（ふらつきの無い）を感じる。そして図２、図３のようにハンドルをきると、カーブ走行姿勢になりながら、徐々に搭乗者と共に自転車は傾いてくる。ここで前輪の泥除カバー（１）の下端に装着された、バランスウェイト（２）の部分が、搭乗者および自転車の重心Ｇ（３）よりも、外側に外輪差として出て行くので、つまり、この外輪差分のトルクＴ（４）が発生して、傾いて行く重心Ｇ（３）に対して、起こすように力が働くのである。この為に、ハンドルを切り損ねても、すぐ転倒するような事はなくなった。
【図面の簡単な説明】
【０００８】
【図１】  本発明の通常走行中の斜視図である。
【図２】  本発明のハンドルを切った状態の説明図である。
【図３】  本発明の傾き状態の説明図である。
【図４】  本発明の上面説明図である。
【符号の説明】
【０００９】  １  泥除カバー
２  バランスウェイト
３  垂直時重心Ｇ
４  トルクＴ
５  傾斜による移動時の重心Ｇ
６  ウェイト支持シャフト
【図１】
2016210392.tif 000003
【図２】
2016210392.tif 000004
【図３】
2016210392.tif 000005
【図４】
2016210392.tif 000006
(57)【要約】【課題】  新聞を読む際に、新聞のバラつき、飛散を防止するために、複数束ねた細い棒状の串の挟持力を活用した、新聞ホルダーを提供する。【解決手段】  複数の棒状の串を束ねた狭持力を利用し、串それぞれが、個々に、リードの役目をし、さらに、リードが外れないように、誘導するガイドの役目をするものであり複数の串それぞれが、個々に、リードとガイドの両機能を持っていることを特徴とする滑落防止の新聞ホルダー。【選択図】図１
2016210162.tif 000002
【特許請求の範囲】
【請求項１】
複数の棒状の串を束ねた狭持力を利用し、串それぞれが、個々に、リードの役目をし、さらに、リードが外れないように誘導するガイドの役目をするものであり、複数の串それぞれが、個々に、リードとガイドの両機能を持っていることを特徴とする滑落防止の新聞ホルダー。
【発明の詳細な説明】
【技術分野】
【０００１】  本発明は、新聞を読む際に新聞のバラつき、飛散を防止するために複数束ねた細い棒状の串の挟持力を活用した、新聞ホルダーに関するものである。
【背景技術】
【０００２】  従来は、プラスチックを主材にし、その加工技術で新聞の飛散を防止する新聞ホルダーがある（特許文献参照）。
新聞の冊子を芯棒と、カバーという両機能で固定し、新聞の飛散を防止する新聞ホルダーがある（特許文献１参照）。
新聞の冊子を新聞ホルダー内部に設けた、筋状突起物で固定し、新聞の飛散を防止する新聞ホルダーがある（特許文献２参照）。
【先行技術文献】
【特許文献】
【０００３】
【特許文献１】  実用新案登録第３０６３３８６号公報
【特許文献２】  実用新案登録第３１４２１６５号公報
【発明の概要】
【発明が解決しようとする課題】
【０００４】（イ）従来の新聞ホルダーは（特許文献１）、新聞の折込口に差し込む芯棒と、それを誘    導するカバーが、個々で、単独の機能と持っており、幼児や高齢者が扱う場合に、カ    バー部を新聞に差し込む誤操作につながる問題点があった。
（ロ）従来の新聞ホルダー（特許文献１、特許文献２）は、プラスチックという加工品を    主材にしているので、プラスチックに挟持力を持たせるための、加工が複雑であると    いう、問題点があった。
本発明は、これらの問題点を解決するためになされたものである。
【課題を解決するための手段】
【０００５】  本発明は、複数の棒状の串を束ねた狭持力を利用し、串それぞれが、個々に、リードの役目をし、さらに、リードが外れないように誘導するガイドの役目をするものであり、複数の串それぞれが、個々に、リードとガイドの両機能を持っていることを特徴とする新聞ホルダー。
【発明の効果】
【０００６】（イ）複数の串それぞれが、個々に、リードとガイドの両機能を持っているので、どの串    を新聞の折込口に挿入するのか迷うことはない。
（ロ）棒状の串に、プラスチックを使用せず、自然材（竹、木）採用するので、処分する    場合は、燃えるゴミ扱いなので環境に優しい。
（ハ）日本のいたるところにある、廉価な自然材の利用は、製品の廉価にもつながり、商    品としても、また、ノベルティーとしても利用でき、広く一般家庭にも普及できる。
（ニ）ホルダー基幹部に、キャラクター人形のキャップを嵌め込み、キャラクター人形（    たとえば、くまモン、ふなっしー等）の利用権利を保有している企業、もしくは、役    所が、キャラクター付き新聞ホルダーとして商品化できる。
【図面の簡単な説明】
【０００７】
【図１】  本発明の新聞ホルダーの斜視図である。
【図２】  本発明の正面図である。
【図３】  本発明の断面図である。
【図４】  本発明が新聞を狭持している状態の説明図である。
【図５】  本発明が新聞を狭持している部分の拡大図である。
【図６】  本発明が新聞狭持の状態を、イ視点より見た説明図である。
【図７】  本発明が新聞狭持の状態を、ロ視点より見た説明図である。
【図８】  本発明にキャラクターグッズを取り付けた説明図である。
【発明を実施するための形態】
【０００８】  本発明は、複数の棒状の串を束にし、リード（１）とガイド（２）、ガイド（３）、ガイド（４）という構成で、串の柔軟性と弾力性で新聞（７）を狭持できる形態である。
複数の串は、それぞれがリードとガイドの両機能を持っている構成である。
これを使用するときは、新聞の折り込口に、リード（１）を差し込み、新聞をガイド（２）、ガイド（３）、ガイド（４）に沿ってスライドさせ、ホルダーの結束バンド（５）まで誘導し、串の挟持力にて、新聞のバラつき、飛散を防止することができる。
なお、リード（１）とガイド（２）、ガイド（３）、ガイド（４）の部分は、棒状の部分、および、その先端が、円錐形であろうが、円柱形であろうが、四角形であろうが、新聞の折込口に容易に、入れ易い形状であるなら、如何様なものであっても構わない。
ホルダー基幹部（６）に、キャラクターグッズ（８）のキャップ部（９）を嵌め込み、キャラクター人形（たとえば、くまモン、ふなっしー等）の利用権利を保有している企業、または、役所がキャラクター付き新聞ホルダーをノベルティー商品、もしくは、商品として市場に販路を広げることを特徴とする新聞ホルダーである。
【符号の説明】
【０００９】  １  リード
２  ガイド
３  ガイド
４  ガイド
５  結束バンド
６  基幹部
７  新聞
８  キャラクターグッズ
９  キャラクターキャップ部
【図１】
2016210162.tif 000003
【図２】
2016210162.tif 000004
【図３】
2016210162.tif 000005
【図４】
2016210162.tif 000006
【図５】
2016210162.tif 000007
【図６】
2016210162.tif 000008
【図７】
2016210162.tif 000009
【図８】
2016210162.tif 000010
(57)【要約】【課題】従来の有機質肥料は、製品化された後も微生物が活動し続けるので、製品そのものの醗酵、分解が進行し劣化が進む。つまり植物栄養としての鮮度が失われていく。【解決手段】有機質肥料を充填した包装容器を密封、真空状態にすることにより、微生物の働きに必要な空気と水分の供給を遮断し、発酵、分解を停止させる。これにより、最適な肥効を備えた有機質肥料を保存できる。【選択図】図２
2016210669.tif 000002
【特許請求の範囲】
【請求項１】
密封、真空保存された有機質肥料
【発明の詳細な説明】
【技術分野】
【０００１】  この発明は、有機質肥料を真空保存することにより、肥効の劣化を防ぐとともに最適の肥効を保持するための技術に関するものである。
【背景技術】
【０００２】  従来、有機質肥料は微生物の働きを応用して有機原材料の醗酵・分解を促進させることにより製造されるが、製造後の製品の保管、流通、農地施用の各段階でも常に微生物は活動しており、醗酵・分解は進行している。従って、製品でありながらも醗酵・分解が進行する限り植物栄養としての鮮度が落ちて肥効の劣化は進むので、最適の肥効を保持したまま保管、流通することは困難であった。【０００３】  最適の肥効は肥料効果の意であり、Ｃ／Ｎ比の測定値で表示する。Ｃは炭素量、Ｎは窒素量を表す。その他肥効は、含有成分、水分、ｐＨ、ＥＣ（電気伝導度）等の基準値乃至設計値でも表示される。
【先行技術文献】
【非特許文献】
【０００４】
【非特許文献１】「有機栽培の基礎と実際、２００７年」社団法人農山漁村文化協会発行、２８ページ図１−５
【発明の概要】
【発明が解決しようとする課題】
【０００５】  有機質肥料はその製造段階、保管の段階、流通の段階、農地施用の各段階のどの段階においても常に微生物は活動しており、そのため醗酵・分解は進行している。つまり微生物が働いている限り品質の劣化は進んでいる。【０００６】  従来、微生物の働きとそれに伴う劣化を抑制するために、ぼかし肥料と称して土に有機質肥料を混合していた。その場合でも発行・分解とそれに伴う肥効の劣化は完全には止められないし、大量生産には大量の土が必要である、という弱点がある。【０００７】  従って、最適の肥効を得るための品質を一定に保つことができない。つまり肥効調節が難しく、また大量の土を必要とするという欠点が課題であった。
【課題を解決するための手段】
【０００８】  微生物の活動による有機物の醗酵・分解作用は有機質肥料の製造に応用される。そのことは有用であるが、また一方では製品の保管や流通に要する期間中の経時に伴う肥効劣化にも作用し続けている。有機質肥料は、品質の劣化を防止するために最適の肥効を発揮する段階で微生物の活動を停止させた状態を保持することが望まれる。【０００９】  微生物の働きを停止させるためには、微生物の働きに必要な空気と水分の供給を遮断する必要がある。【００１０】  空気と水分の供給を遮断するためには、製品包装の容器内に製品である有機質肥料を密封し、容器内に残存する空気を吸引して真空状態にすることにより、それが可能である。以上の作業工程をこの課題の解決手段とする。【００１１】  本発明は、最適の肥効をもつ製品として完成された有機質肥料を密封、真空保存することにより、肥効劣化を防ぐと共に、最適の肥効を保持した有機質肥料を提供するものである。
【発明の効果】
【００１２】  肥効の劣化を防ぐとともに、有機質肥料として最適の肥効を保持した状態で保存出来る。【００１３】  最適の肥効を得る状態で製品の品質管理が出来るので、有機質肥料の弱点である施肥設計の精度が高まる。【００１４】  製品袋に密封性のプラスチック袋等を使用することにより製品の減容化が図れるので、保管、移送、輸送を容易にし且つそれに要するコストの削減に寄与する。【００１５】  ぼかし肥料のように、大量の土を必要としないので大量生産が可能である。【００１６】  臭気を遮断した状態で長期の保存に耐えうるので環境保全はもとより、人間の健康にとっても安全な有機農業の発展に貢献できる。
【図面の簡単な説明】
【００１７】
【図１】本発明の有機質肥料を包装容器に充填している工程の図。
【図２】包装容器に充填後、密封、真空保存され且つ減容化された図。
【図３】真空保存、減容化された図２の側面図。
【発明を実施するための形態】
【００１８】  以下、本発明の実施の形態を図１、図２、図３に基づいて説明する。
【００１９】  図１において、２は有機質肥料製品の包装のための供給装置で、最適の肥効を得た状態で有機質肥料製品１を、包装容器（プラスチック袋）３に充填する。
【００２０】  ４は包装容器の密封シール部分である。
【００２１】  図２において、製品である有機質肥料製品１を充填した包装容器３を密封し中の空気を抜出して真空状態にする。
【００２２】  図３は、図２の側面図である。
【００２３】  以上のように、本実施形態によれば、有機質肥料を真空保存することにより、製品の劣化を防ぎ、最適な肥効を保持することが可能である。
【符号の説明】
【００２４】１  製品である有機質肥料
２  製品の供給装置
３  包装容器（プラスチック袋等）
４  包装容器の密封シール部
５  包装容器を密封シールした状態
【図１】
2016210669.tif 000003
【図２】
2016210669.tif 000004
【図３】
2016210669.tif 000005
(57)【要約】【課題】朝夕等で日差しの強いときは、眩しくて視界の確保が困難で、信号の確認等  安全運転に支障が出る事があった。【解決手段】視界を妨げす日差しを避けるため、透過性素材で巻き込み式のロール式のバイザーにして取付した。又、巻き込み式にして収納を簡単にした事により、上下  左右自由に取付出来るようになった。  【選択図】図１
2016147581.tif 000002
【特許請求の範囲】
【請求項１】
巻き込み出来るロール式にして、取付  取り外しを簡単にした。
【請求項２】
上下  左右にも取付出来る機構とした。
【発明の詳細な説明】
【技術分野】
【０００１】
この発明は、簡単に取付  収納が出来、視界を妨げないロール式のバイザーに関するものである。
【背景技術】
【０００２】
従来、日差しを避ける為の日除けは、ガラス上部に取り付け又は、サンバイザーを下して対応していた。
【先行技術文献】
【特許文献】
【０００３】
【特許文献１】従来は、日除けとして上部のみにフィルム素材を張り付けるか、サンバイザーで日差しを避けていた。しかし、朝日や夕日等の日差しの強い時は上部のみの日除けでは完全に避ける事が出来なかった。本発明は、日中の日差しだけでなく従来では避ける事が出来なかった朝夕の低い日差しも避ける事が出来るようにした。又、透過性素材で視界を確保し、素材面積を広くして幅広く日差しを避ける事が出来るようにした。さらに、巻き込み出来るロール式にした為、取付収納が簡単で上下  左右にも自由に取付出来るようになった。
【発明の概要】
【発明が解決しようとする課題】
【０００４】
日差しの強い時、紫外線等で視界の確保が困難で運転に支障が出ていた。特に朝夕の低い日差しは従来の日差し避けでは避ける事が困難だった。
【課題を解決するための手段】
【０００５】
素材面積を広くして幅広く日差しを避けるようにし、透過性素材で巻き込み出来るロール式のバイザーにした。本発明は以上の構成よりなる装置である。
【発明の効果】
【０００６】
装着時も透過性素材で素材面積を広くした為、幅広く日差しを避ける事が出来、視界を妨げす運転にも支障がなくなった。又、巻き込み式のため取付  収納も簡単になった。
【図面の簡単な説明】
【０００７】
【図１】本発明の平面図である。
【図２】本発明の取付時と収納時の拡大した側面図である。
【発明を実施するための形態】
【０００８】
以下、本発明を実施するための形態について説明する。巻き込み出来るロール式のバイザーの本体  1  を対象物に取付した。そして、取り出した先端部  2  を反対部分に、取付した。本発明は以上のような構造である。
【実施例】
【０００９】
収納が簡単で  朝夕等日差しが強く視界を確保しにくい時でも、透過性が良いため視界が確保でき、信号の確認等  安全運転に支障が出なくなった。又、従来より素材面積を広くした事で朝夕の低い日差しも幅広く日差しを避ける事が出来るようになった。
【産業上の利用可能性】
【００１０】
強い日差しや紫外線等を避けるために、あらゆる場面で活用出来る。又、透過性の素材とした事で、視界を妨げず移動中でも安全性を確保できる。取付、取り外しを簡単にした事で、上下左右自由に使う事が出来るようになった。
【符号の説明】
【００１１】
１  本体
２  先端部
３  バイザー
４  対象物
5   本体取付部  
【図１】
2016147581.tif 000003
【図２】
2016147581.tif 000004
(57)【要約】【課題】  本発明の課題は、煩雑な操作を必要とすることなく、穏和な条件にて、フルオロヨードアルカンを吸着処理する方法を提供することにある。【解決手段】  本発明の課題は、フルオロヨードアルカン、又はフルオロヨードアルカンと不活性ガスとの混合ガスとを、物理吸着剤と接触させることを特徴とする、フルオロヨードアルカンの吸着処理方法によって解決される。【選択図】  図１
2016147815.tif 000002
【特許請求の範囲】
【請求項１】
フルオロヨードアルカン、又はフルオロヨードアルカンと不活性ガスとの混合ガスとを、物理吸着剤と接触させることを特徴とする、フルオロヨードアルカンの吸着処理方法。
【請求項２】
物理吸着剤がゼオライトである、請求項１記載のフルオロヨードアルカンの吸着処理方法。
【請求項３】
フルオロヨードアルカンがトリフルオロヨードメタンである、請求項１〜２のいずれか１項に記載のフルオロヨードアルカンの吸着処理方法。
【発明の詳細な説明】
【技術分野】
【０００１】
本発明は、フルオロヨードアルカン（分子内にフッ素とヨウ素を有する炭化水素化合物）を吸着処理する方法に関する。
【背景技術】
【０００２】
近年、半導体や電子部品等の分野において、大気寿命が短く、地球温暖化係数の低い、エッチングやクリーニング用材料として、フルオロヨードアルカン、例えば、トリフルオロヨードメタンなどが注目されている。
また、トリフルオロブロモメタンの代替となる可能性がある消火剤、界面活性剤、化学物質および医薬製造においてトリフルオロメチル基を導入するためのフッ素を含む中間体化合物、ならびに、ある種のハイドロフルオロカーボンとともにブレンドすることによって地球温暖化係数を低くした冷媒としても注目されている（例えば、特許文献１参照）。
【０００３】
前記フルオロヨードアルカンを処理する方法としては、例えば、当該ガスをアルミナとアルカリ土類金属化合物を含有する分解反応剤により分解した後に、アルカリ土類金属の塩として固定できないヨウ素をモレキュラーシーブで吸着して除去する方法が知られている（例えば、特許文献２参照）。
【先行技術文献】
【特許文献】
【０００４】
【特許文献１】特開２００８−２３１０９６号公報
【特許文献２】特開２００４−２４９２８５号公報
【発明の概要】
【発明が解決しようとする課題】
【０００５】
しかしながら、特許文献２の方法では、２００℃以上の高温でフルオロヨードアルカンガスの分解を行った後に、更に吸着剤を用いて処理しなければならず、工程数が多く、処理が煩雑となるなどの問題があった。そのため、より簡便な操作で、直接的にフルオロヨードアルカンを処理する方法の提案が望まれていた。
【０００６】
即ち、本発明の課題は、煩雑な操作を必要とすることなく、穏和な条件にて、フルオロヨードアルカンを吸着処理する方法を提供することにある。
【課題を解決するための手段】
【０００７】
本発明の課題は、フルオロヨードアルカン、又はフルオロヨードアルカンと不活性ガスとの混合ガスを物理吸着剤と接触させる、フルオロヨードアルカンの処理方法によって解決される。
【発明の効果】
【０００８】
本発明により、煩雑な操作を必要とすることなく、穏和な条件にて、フルオロヨードアルカンを吸着処理することができる。
【図面の簡単な説明】
【０００９】
【図１】吸着処理を行う装置の一例を示す図である。
【発明を実施するための形態】
【００１０】
（フルオロヨードアルカン）
本発明のフルオロヨードアルカンとは、分子内にフッ素とヨウ素を有する炭化水素化合物を示すが、具体的には、例えば、トリフルオロヨードメタン、ジフルオロジヨードメタン、フルオロトリヨードメタン、ジフルオロヨードメタン、フルオロヨードメタン、クロロジフルオロヨードメタン、クロロフルオロジヨードメタン、フルオロジヨードメタン、ペンタフルオロヨードエタン、テトラフルオロジヨードエタン、クロロテトラフルオロヨードエタン、クロロトリフルオロジヨードエタンなどが挙げられるが、好ましくはトリフルオロヨードメタンである。
なお、これらのフルオロヨードアルカンは、複数種が混合されていても良く、また不活性ガス（ヘリウム、アルゴン、窒素など）と混合・希釈されていても良い。
【００１１】
（物理吸着剤）
物理吸着剤としては、例えば、活性炭、ゼオライト、シリカゲル、アルミナなどが挙げられるが、好ましくはゼオライトが使用される。物理吸着剤の種類や形状は特に制限されるものではなく、例えば、繊維状、ハニカム状、円柱、ペレット状、破砕状、粒状、または粉末状のものを使用することができる。
【００１２】
（フルオロヨードアルカンの吸着処理）
本発明は、フルオロヨードアルカン、又はフルオロヨードアルカンと不活性ガスとの混合ガスとを、物理吸着剤と接触させることによって行われるが、好ましくは物理吸着剤を備えた容器に、フルオロヨードアルカン、又はフルオロヨードアルカンと不活性ガスとの混合ガスを供給する方法によって行われる。
【００１３】
（供給速度）
その際の供給速度は、フルオロヨードアルカンの濃度や、物理吸着剤の量、容器の大きさなどにより適宜調節する。
【００１４】
（吸着処理温度）
吸着処理温度は、好ましくは５〜６０℃、更に好ましくは１０〜５０℃、より好ましくは１５〜４０℃である。この範囲とすることで、物理吸着剤への吸着量が損なわれることがない。
【００１５】
なお、吸着処理がなされているかどうかは、容器出口から排出されるガス中のフルオロヨードアルカンの濃度を測定することによって確認することができる。
【実施例】
【００１６】
次に、実施例を挙げて本発明を具体的に説明するが、本発明の範囲はこれらに限定されるものではない。なお、容器出口のガス中のトリフルオロヨードメタンの濃度は、ガス検知器（バイオニクス機器社製）を用いて確認した。
【００１７】
実施例１（トリフルオロヨードメタンの処理）
ステンレス製カラム（内径５４．９ｍｍ；断面積２３．７ｃｍ２）に、ゼオライト（東ソー社製ＩＧ７０１Ｃ）３００ｍｌ（２１４ｇ）を充填した。次いで、トリフルオロヨードメタンと窒素との混合ガス（トリフルオロヨードメタン濃度；０．４容量％）を５．００２Ｌ／ｍｉｎ．で供給した。なお、容器内のゼオライトの表面温度は２２．３〜２３．９℃を維持していた。
容器出口において、供給開始から４５０分経過した後もトリフルオロヨードメタンは、全く検出されなかった。即ち、約８．６Ｌのトリフルオロヨードメタンが吸着処理されたことになる。
なお、トリフルオロヨードメタンの破過流通量は３５．３質量％であった。
【００１８】
比較例１（トリフルオロヨードメタンの処理）
ゼオライトの代わりに、酸化鉄を用いた以外は、実施例１と同様にしてトリフルオロヨードメタンの吸着処理を行った。
その結果、トリフルオロヨードメタンはほとんど処理されなかった。
【００１９】
以上の結果より、煩雑な操作を必要とすることなく、穏和な条件にて、フルオロヨードアルカンを吸着処理することができることが分かった。
【産業上の利用可能性】
【００２０】
本発明によりフルオロヨードアルカン（分子内にフッ素とヨウ素を有する炭化水素化合物）を処理する方法を提供することができる。
【符号の説明】
【００２１】
１      窒素ガス
２      トリフルオロヨードメタンガス
３      吸着剤
４      ガス検知器
【図１】
2016147815.tif 000003
(57)【要約】【課題】本発明は、回転時の色合いや光沢に深みがあり、見て楽しむことができる独楽の提供を目的とする。【解決手段】回転中心となる心棒と、回転部を備え、前記回転部の意匠面は螺鈿を用いて加飾してあることを特徴とする。【選択図】  図１
2016147030.tif 000002
【特許請求の範囲】
【請求項１】
回転中心となる心棒と、回転部を備え、
前記回転部の意匠面は螺鈿を用いて加飾してあることを特徴とする独楽。
【請求項２】
前記意匠面は複数に分割し、少なくとも１つ以上の分割面に螺鈿を用いて加飾してあることを特徴とする請求項１記載の独楽。
【発明の詳細な説明】
【技術分野】
【０００１】
本発明は、独楽に関し、特に螺鈿を用いて加飾した独楽に係る。
【背景技術】
【０００２】
独楽は、回転させて遊ぶ玩具の１つであり、回転中心となる心棒と回転部を有し、この回転部はバランスをとるために外径が大きく例えば円盤状になっている。
特許文献１，２には歳差運動させることで変化を楽しむ独楽を開示する。
これに対して本発明者は伝統工芸に用いられている螺鈿の技法を独楽に適用することで新たな独楽を見いだした。
【先行技術文献】
【特許文献】
【０００３】
【特許文献１】特開２０１０−２２７９７号公報
【特許文献２】特開２００５−３４６０３号公報
【発明の概要】
【発明が解決しようとする課題】
【０００４】
本発明は、回転時の色合いや光沢に深みがあり、見て楽しむことができる独楽の提供を目的とする。
【課題を解決するための手段】
【０００５】
本発明に係る独楽は、回転中心となる心棒と、回転部を備え、前記回転部の意匠面は螺鈿を用いて加飾してあることを特徴とする。
ここで意匠面は複数に分割し、少なくとも１つ以上の分割面に螺鈿を用いて加飾してあっても良い。
【０００６】
螺鈿における、螺は貝，鈿は物を飾る意味で，貝殻を文様に切り，表面に張付け，あるいは象眼して漆等で固定したものである。
用いられる貝としては夜光貝，蝶貝、あわびを使用することが多い
【発明の効果】
【０００７】
本発明に係る独楽は、意匠面に螺鈿を用いたので、回転させると深みのある螺鈿独特の光沢や輝きが出現し、これまでにない、見て楽しい独楽になる。
【図面の簡単な説明】
【０００８】
【図１】本発明に係る独楽の例を（ａ）、（ｂ）、（ｃ）に示す。
【発明を実施するための形態】
【０００９】
本発明に係る独楽１０の構造例を図１に示す。
心棒１２を回転部１１に対して、独楽全体の重心を通るように垂直方向に配置してある。
心棒の先端部１３で回るようになっていて、本実施例では心棒の上部を摘んで回すようになっているが紐を巻いて回すタイプの独楽でも良い。
（ａ）は、回転部１１の意匠面を４つの扇形１４ａ〜１４ｄに分割し、それぞれに異なる文様の螺鈿を施してある例を示す。
（ｂ）は、中央の帯部１５ｃにて１５ａ、１５ｂ３分割にした例となり、それぞれの分割面を各種螺鈿で加飾した例である。
（ｃ）は、１６ａ〜１６ｃにて３分割した例である。
分割方法に制限はなく、また、すべての分割面に螺鈿を施す必要もない。
回転部１１は必ずしも円盤状である必要はない。
各分割面に施したそれぞれ異なる螺鈿文様が回転により融合した輝きを放ち、光沢に深みがある。
【符号の説明】
【００１０】
１０      独楽
１１      回転部
１２      心棒
１３      先端部
１４ａ〜１４ｄ    螺鈿
１５ａ〜１５ｃ    螺鈿
１６ａ〜１６ｃ    螺鈿
【図１】
2016147030.tif 000003